(57)【要約】      （修正有）【課題】薄型電気製品に取り付けられ、高出力を伝達する薄型変圧器アセンブリを提供する。【解決手段】変圧器アセンブリは複数の変圧器４００ａ、４００ｂを備える。複数の変圧器は電気的に並列接続される。各変圧器は基部および上部を有し、上部は基部に対向する。基部から上部までの高さは、他の電子部品と釣合が取れる様に実質的に１０ｍｍより低く構成する。【選択図】図２
0003154814.tif 000002
【実用新案登録請求の範囲】
【請求項１】
変圧器アセンブリであって、
複数の変圧器を備えており、
上記各変圧器は、
少なくとも１つの入力ピンおよび少なくとも１つの出力ピンを有し、かつ上記各変圧器が基部および該基部に対向する上部を有し、
上記基部から上記上部までの高さは実質的に１０ｍｍより低く、
上記各変圧器は平行でかつ電気的に接続されており、
上記各変圧器の上記少なくとも１つの入力ピンは入力を受けるよう構成され、上記少なくとも１つの出力ピンは出力を伝達し、上記各出力は上記入力と等しくない累積出力を形成するよう収集される変圧器アセンブリ。
【請求項２】
上記各変圧器は、
それぞれ組み込まれた部分を有する２つの組み込まれた本体と、
保護部および受け空間を規定するように該保護部上に環状に配置される側壁を有するマスクと、を含み、上記側壁の２つの対応する端は、それぞれ開口部を有し、
２つの対応する端を有する巻線本体を含み、
上記巻線本体の上記２つの対応する端は組み込まれた穴を配置し、
上記マスクの上記受け空間は上記巻線本体を収容するように構成され、
上記２つの組み込まれた本体の上記組み込まれた部分はそれぞれ上記開口部および上記組み込まれた穴を通じて挿入され、上記２つの組み込まれた本体、上記マスク、および上記巻線本体は互いに固定され、上記保護部は上記巻線本体の側面と接合するよう構成される、請求項１に記載の変圧器アセンブリ。
【請求項３】
上記巻線本体はさらに２つの巻線部および分離部を備え、該２つの巻線部および該分離部は上記２つの組み込まれた穴の間に配置され、かつ上記分離部は上記２つの巻線部を互いに離すように該２つの巻線部の間に配置される、請求項２に記載の変圧器アセンブリ。
【請求項４】
上記２つの巻線部は複数のコイルをそれぞれ巻くように構成される、請求項３に記載の変圧器アセンブリ。
【請求項５】
上記巻線部の他方の側面が上記少なくとも１つの入力ピンおよび上記少なくとも１つの出力ピンを有し、上記少なくとも１つの入力ピンは上記少なくとも１つの出力ピンに対応する、請求項３に記載の変圧器アセンブリ。
【請求項６】
上記２つの組み込まれた本体は鉄およびその鉄合金のうちの１つでできている、請求項３に記載の変圧器アセンブリ。
【請求項７】
上記巻線本体は鉄およびその鉄合金のうちの１つでできている、請求項３に記載の変圧器アセンブリ。
【請求項８】
上記変圧器が受ける各入力が異なる、請求項１に記載の変圧器アセンブリ。
【請求項９】
上記複数の変圧器が受ける各入力が等しい、請求項１に記載の変圧器アセンブリ。
【考案の詳細な説明】
【技術分野】
【０００１】
本考案は、変圧器アセンブリ、より具体的には、高出力を得るために平行に電気的に接続された複数の薄型変圧器を利用した変圧器アセンブリを提供する。
【背景技術】
【０００２】
科学技術の発展に伴い、液晶ディスプレイ（ＬＣＤ）、プラズマディスプレイパネル（ＰＤＰ）、ＤＶＤプレーヤーなどの最近の電気製品は、家庭内の限られた空間をよりよく活用できるよう次第に薄型設計に発展し、そのような薄型家庭用電気製品は家庭の環境に統合されてきた。薄型電気製品の設計において、薄型設計のために必要とされる変圧器の小型化には、従来技術による変圧器の鉄芯および同類の要素の材料が不変であるため変圧器の出力電圧が変圧器の高さに直接比例することが最大の課題となっている。結果として、より高い出力を必要とする電気製品では、変圧器はより高さをもつことになり、電気製品を薄型設計にする要求は満たされてこなかった。
【０００３】
図１Ａは従来型の変圧器１００の側面図である。たとえば、電気製品がその変圧器から２００Ｗの出力を必要とする場合、従来型の変圧器１００は設計上約１８．８±１．０ｍｍの高さＨ１をもたねばならない。さらに悪いことに、必要な２００Ｗの出力を満たすために最大３０ｍｍの高さＨ１が必要な変圧器１００もある。同様に、図１Ｂは従来型の変圧器１００の上面図である。変圧器１００は５０．０±１．０ｍｍの長さＬ１および４４．５±１．０ｍｍの幅Ｄ１を有する。長さ、幅、および、高さに関するこれらの寸法データならびに様々な電子部品（たとえば、コンデンサ、トランジスタ、抵抗器）の寸法データから、電子回路分野の当業者は、変圧器１００が電子部品よりも容積が大きいことを認識するであろう。さらに、薄型電気製品の設計においては、できる限り回路を統合することに主に関心が置かれており現代および将来の薄型電気製品に対する要求を満たすように変圧器１００も薄型であるよう設計されなければならない。
【考案の概要】
【考案が解決しようとする課題】
【０００４】
この点に鑑み、現代および将来の薄型電気製品に対する要求を満たすようにこの産業において薄型変圧器を提供することは非常に望ましい。
【０００５】
本考案の目的は、変圧器アセンブリを提供することである。変圧器アセンブリは高出力を伝達することができ、電気製品に取り付けられるよう薄型にできている。
【課題を解決するための手段】
【０００６】
上記の目的を達成するために、変圧器アセンブリは複数の変圧器を備えている。各変圧器は少なくとも１つの入力ピンおよび少なくとも１つの出力ピンを有し、かつ各変圧器は基部および基部に対向する上部を有する。基部から上部までの高さは１０ｍｍより低く、各変圧器は平行でありかつ電気的に接続されている。各変圧器の少なくとも１つの入力ピンは入力を受けるように構成され、少なくとも１つの出力ピンは出力を伝達する。各出力は、入力と等しくない累積出力を形成するように収集される。
【０００７】
本考案のために実施される詳細な技術および好ましい実施形態は、当業者が請求の範囲に記載されている考案の特徴を当業者が十分に正しく理解できるように、添付の図面を示し以下の段落で説明される。
【図面の簡単な説明】
【０００８】
【図１Ａ】従来の変圧器の側面図である。
【図１Ｂ】従来の変圧器の上面図である。
【図２】本考案の好ましい実施形態の概略図である。
【図３】本考案の変圧器の分解図である。
【図４Ａ】本考案の変圧器の側面図である。
【図４Ｂ】本考案の変圧器の上面図である。
【考案を実施するための形態】
【０００９】
以下の説明において、本考案をその実施形態を参照しながら説明するが、それらの実施形態は本考案をそれら実施形態で説明される特定の環境、応用、または、特定の実装に制限することを意図するものではない。したがって、それら実施形態の説明は本考案を例示するためのものであり、本考案を制限するものではない。以下の実施形態および添付の図面において、本考案に無関係な要素は説明から除かれている。
【００１０】
図２は本考案の好ましい実施形態に係る変圧器アセンブリ２００の概略図を示す。変圧器アセンブリ２００は複数の変圧器を含み、各変圧器は入力を受けおよび出力を伝達するように構成される。本実施形態において、変圧器は第１変圧器４００ａおよび第２変圧器４００ｂを含む。変圧器の前述の数は本考案を例示するためのものであり、本考案を限定するものではない。
【００１１】
具体的には、第１変圧器４００ａならびに第２変圧器４００ｂは平行に電気的に接続される。第１変圧器４００ａおよび第２変圧器４００ｂは前述の入力にそれぞれ含まれる第１入力２０ａおよび第２入力２０ｂを受けるように、ならびに前述の出力にそれぞれ含まれる第１出力２１ａならびに第２出力２１ｂを伝達するように構成される。次に、第１変圧器４００ａおよび第２変圧器４００ｂの出力端子を電気的に接続することにより、第１出力２１ａおよび第２出力２１ｂは累積出力３１０を形成するように収集される。累積出力３１０は第１入力２０ａおよび第２入力２０ｂのひとつと同じではない。特に留意すべきは、第１入力２０ａおよび第２入力２０ｂは等しいかまたは異なることである。変圧器の数が３以上の場合も本考案の構造は前述の説明から推測できるため、ここでは詳細な説明は省略する。
【００１２】
一例として、ある電気製品は変圧器から２００Ｗの出力を要求するとする。すなわち、これは本考案の技術を採用する変圧器アセンブリ２００が２００Ｗの累積出力を有するということである。この場合、第１変圧器４００ａが５０Ｗの第１入力２０ａを受け、それを１００Ｗの第１出力２１ａに変圧する。一方、第２変圧器４００ｂが５０Ｗの第２入力２０ｂを受け、それを１００Ｗの第２出力２１ｂに変圧させる。このように、第１変圧器４００ａおよび第２変圧器４００ｂの電気的接続を通じて第１出力２１ａと第２出力２１ｂを電気的に集めることにより２００Ｗの累積出力３１０が得られる。あるいは、第１変圧器４００ａが７０Ｗの第１入力２０ａを受け、それを１００Ｗの第１出力２１ａに変圧する。一方、第２変圧器４００ｂが３０Ｗの第２入力２０ｂを受け、およびそれを１００Ｗの第２出力２１ｂに変圧させる。このように、第１出力２１ａと第２出力２１ｂを電気的に集めることにより２００Ｗの累積出力３１０が得られる。本実施例は本考案を限定するものではなく例示するためだけのものであり、当業者は本実施例への変更が本考案の範囲を逸脱するものではないことを理解するであろう。
【００１３】
次に、第１変圧器４００ａおよび第２変圧器４００ｂを詳述する。図３において、本考案の変圧器の分解図が示されている。第１変圧器４００ａおよび第２変圧器４００ｂはその構成においては同一であるため、第１変圧器４００ａのみを以下に代表として説明し、第２変圧器４００ｂの説明は省略する。
【００１４】
第１変圧器４００ａは２つの組み込まれた本体４５０、マスク４６０、および巻線本体４７０を含む。２つの組み込まれた本体４５０および巻線本体４７０は、鉄およびその鉄合金のうちの１つでできている。２つの組み込まれた本体４５０は組み込み部４５１をそれぞれ有する。マスク４６０は保護部４６１および側壁４６２を有し、側壁４６２は受け空間４６３を規定するよう保護部４６１上に環状に配置されている。側壁４６２の２つの対応する端はそれぞれ開口部４６４を有する。巻線本体４７０は、その２つの対応する端それぞれにおいて組み込まれた穴４７１で形成され、少なくとも１つの入力ピン４１０および少なくとも１つの出力ピン４２０がそれぞれ反対側に形成される。ここで、少なくとも１つの入力ピン４１０および少なくとも１つの出力ピン４２０は、互いに反対に位置する。少なくとも１つの入力ピン４１０は第１入力２０ａを受けるよう構成され、一方少なくとも１つの出力ピン４２０は第１出力２１ａを伝達するように構成される。マスク４６０の受け空間４６３は巻線本体４７０を収容するよう構成され、および巻線本体４７０が上からマスク４６０によって覆われた時に、２つの組み込まれた本体４５０の組み込み部４５１は、２つの組み込まれた本体４５０、マスク４６０、および巻線本体４７０の間の相互位置が固定されかつ保護部４６１が巻線本体４７０の側面と接合するよう構成されるように、それぞれ２つの開口部４６４および２つの組み込まれた穴４７１を通じて正確に挿入される。
【００１５】
巻線本体４７０はさらに２つの巻線部４７２および分離部４７３を含む。２つの巻線部４７２および分離部４７３は、２つの組み込まれた穴４７１の間にすべて配置され、分離部４７３はさらに２つの巻線部４７２が互いに離れるよう２つの巻線部４７２の間に配置される。２つの巻線部４７２はそれらにそれぞれ巻かれた複数のコイル（図には示されていない）を有するように構成される。
【００１６】
図２を共に参照してわかるように、実際の実装上、本考案の変圧器は図２に示されているように接続されることを重要視すべきである。言い換えれば、第１変圧器４００ａの少なくとも１つの入力ピンおよび第２変圧器４００ｂの少なくとも１つの入力ピンはそれぞれ第１入力２０ａおよび第２入力２０ｂを受け、一方、第１変圧器４００ａの少なくとも１つの出力ピンおよび第２変圧器４００ｂの少なくとも１つの出力ピンはそれぞれ第１出力２１ａおよび第２出力２１ｂを伝達する。本考案の好ましい実施形態において、第１および第２変圧器４００ａ、４００ｂのそれぞれの少なくとも１つの入力ピンは第１および第２入力２０ａ、２０ｂをそれぞれ受けるように構成された２つの入力ピンを含み、第１および第２変圧器４００ａ、４００ｂの少なくとも１つの出力ピンは第１および第２出力２１ａ、２１ｂをそれぞれ伝達するように構成された２つの出力ピンを含む。しかし、入力を受けるためのピンの数も出力を伝達するためのピンの数も本考案を制限するものではない。
【００１７】
図４は本考案の変圧器の側面図である。再び、本考案の目的をより明確なものにするために必要な場合は第１変圧器４００ａを例として取り上げ、共に図２で参照される。
【００１８】
特に留意すべきは、図４Ａは、図３で示された第１変圧器４００ａの関連する要素すべてを組み立てることによって形成された完全な変圧器を示していることである。組み立てられた第１変圧器４００ａは基部４４０および基部４４０に対向する上部４３０を有する。基部４４０から上部４３０までの高さは実質的に１０ｍｍより低い。そのような高さは従来の変圧器の高さが高い問題を解決し、また、本考案の複数の変圧器を平行に電気的に接続することで、従来の変圧器と同じ動作周波数、材質および他の要因が伴っても高出力が得られる。図４Ｂは本考案の変圧器の上面図を示す。再び第１変圧器４００ａを一例とすると、その長さＬ２は５０．０±１．０ｍｍであり、その幅Ｄ２は５０．０±１．０ｍｍである。
【００１９】
したがって、複数の薄型変圧器から出力を集めることにより、本考案の変圧器アセンブリは薄型電気製品内での使用においても高出力を伝達することができる。
【００２０】
上記の開示は本考案の詳細な技術内容および進歩性を有する特徴に関連する。当業者は、本考案の特徴から逸脱することなく記載された考案の開示および提案に基づいて様々な変更および差し替えを施して実施することが可能である。それにもかかわらず、そのような変更および差し替えは上記説明には完全に開示されていないが、実質的には添付の請求項の範囲内である。
【図１Ａ】
0003154814.tif 000003
【図１Ｂ】
0003154814.tif 000004
【図２】
0003154814.tif 000005
【図３】
0003154814.tif 000006
【図４Ａ】
0003154814.tif 000007
【図４Ｂ】
0003154814.tif 000008
【手続補正書】
【提出日】平成21年8月17日(2009.8.17)
【手続補正１】
【補正対象書類名】実用新案登録請求の範囲
【補正対象項目名】請求項２
【補正方法】変更
【補正の内容】
【請求項２】
上記各変圧器は、
保護部と、該保護部上に環状に配置されて受け空間を規定する側壁と、を有するマスクと、それぞれ上記マスクに組み込まれた部分を有する２つの組み込まれた本体と、を含み、
２つの対応する端を有する巻線本体と、
それぞれ上記マスク及び上記巻線本体に組み込まれた部分を有する、２つの組み込まれた本体と、を含み、
上記側壁の２つの対応する端は、それぞれ開口部を有し、
上記巻線本体の上記２つの対応する端は組み込まれた穴を配置し、
上記マスクの上記受け空間は上記巻線本体を収容するように構成され、
上記２つの組み込まれた本体の上記組み込まれた部分はそれぞれ上記開口部および上記組み込まれた穴を通じて挿入され、上記２つの組み込まれた本体、上記マスク、および上記巻線本体は互いに固定され、上記保護部は上記巻線本体の側面と接合するよう構成される、請求項１に記載の変圧器アセンブリ。